(57)【特許請求の範囲】
【請求項１】
ほぼ一定高さの複数の支持体を連接してベースを構成するとともに、該ベース上に床面を構成するパネルを載置して、前記ベースと前記パネルとの間を配線用空間とした二重床において、
前記パネルは、方形に形成されるとともに、側辺部より垂板が下方に屈曲形成されており、前記ベースは、合成樹脂により方形に形成され、該ベースの中心に立設された支持体５Ａと、ベースの四隅に立設された支持体５Ｄと、該四隅に立設された支持体５Ｄ、５Ｄ間におけるベースの側辺部に立設された支持体５Ｆと、前記ベースの中心に立設された支持体５Ａとベースの四隅に立設された支持体５Ｄとの間に立設された支持体５Ｃと、を有し、前記ベースの四隅に立設された支持体５Ｄを除く支持体５Ａ、５Ｃ、５Ｆの上部には凹溝８、１２、１３が形成され、これら凹溝８、１２、１３内に前記垂板を嵌合することで、ベース上に敷設される４枚のパネルそれぞれの少なくとも四隅が支持体５Ａ、５Ｃ、５Ｄ、５Ｆにて支持されるようになっており、前記支持体５Ｃの上部に形成された凹溝１２の内側面には、前記垂板に弾性当接する弾性片が内向きに突設されていることを特徴とする二重床。
【請求項２】
前記弾性片が、前記凹溝内側面に上下方向に延びるように突設されている請求項１に記載の二重床。
【発明の詳細な説明】
【０００１】
【発明の属する技術分野】
本発明は、建築物の床面上に、電話線やコンピュータのケーブル類等を配線、収納する空間が形成された二重床に関する。
【０００２】
【従来の技術】
従来、オフィス内の床下配線を実現するために、建築物の床面上に電話線やコンピュータのケーブル類を収納、配線する空間が形成された二重床が多く採用されている。このような二重床の施工方法としては、例えば複数の支持体が連接された方形のベースを建築物の床面上に敷き並べ、これらのベースの支持体上にパネルを敷設した後、該パネル上にカーペット等の化粧床材等を敷設する方法等が知られている。
【０００３】
このような二重床においては、パネル上、すなわち床面上を人が歩行したり、机等の家具や各種ＯＡ機器等を移動する際において、パネルがベースに対して横ズレをおこし、床面が不安定になる恐れがあるため、パネルをベースの支持体に対して固定することが多い。
【０００４】
その方法として、例えばパネルの周辺部を下方に屈曲させて側片を形成し、この側片を、ベースの支持体上面に形成された凹溝、もしくは互いに隣接する支持体間に形成される凹溝等に嵌合することにより、パネルをベースに対して固定する方法等が発明されている。
【０００５】
【発明が解決しようとする課題】
しかしながら、このような方法にあっては、凹溝を幅狭に形成すれば、側片の裏面と凹溝内側面との間に隙間が生じにくく、パネルの横ズレが防止されるが、パネルは配線空間内のメンテナンスを自在に行えるようにベースに対して着脱自在に設ける必要があるにもかかわらず、凹溝内に側片がきつく嵌合されると、側片と凹溝内側面との摩擦抵抗が大となり、パネルをベースに対して着脱しずらくなることがあった。
【０００６】
逆に、凹溝を幅広に形成すれば、側片の裏面と凹溝内側面との間に隙間が生じるため、パネルの横ズレを防止出来ないばかりか、互いに隣接するパネルの周辺部間に隙間が生じ、この隙間から配線空間内にゴミ等が進入したり、床面を歩行する際にパネル同士の衝突音等が生じるといった問題があった。
【０００７】
本発明は、このような問題点に着目してなされたもので、床面に荷重が加わってもパネルの横ズレが起こりにくく、かつベースに対して簡単に着脱できる二重床を提供することを目的とする。
【０００８】
【課題を解決するための手段】
上記課題を解決するために、本発明の二重床は、ほぼ一定高さの複数の支持体を連接してベースを構成するとともに、該ベース上に床面を構成するパネルを載置して、前記ベースと前記パネルとの間を配線用空間とした二重床において、
前記パネルは、方形に形成されるとともに、側辺部より垂板が下方に屈曲形成されており、前記ベースは、合成樹脂により方形に形成され、該ベースの中心に立設された支持体５Ａと、ベースの四隅に立設された支持体５Ｄと、該四隅に立設された支持体５Ｄ、５Ｄ間におけるベースの側辺部に立設された支持体５Ｆと、前記ベースの中心に立設された支持体５Ａとベースの四隅に立設された支持体５Ｄとの間に立設された支持体５Ｃと、を有し、前記ベースの四隅に立設された支持体５Ｄを除く支持体５Ａ、５Ｃ、５Ｆの上部には凹溝８、１２、１３が形成され、これら凹溝８、１２、１３内に前記垂板を嵌合することで、ベース上に敷設される４枚のパネルそれぞれの少なくとも四隅が支持体５Ａ、５Ｃ、５Ｄ、５Ｆにて支持されるようになっており、前記支持体５Ｃの上部に形成された凹溝１２の内側面には、前記垂板に弾性当接する弾性片が内向きに突設されていることを特徴としている。
この特徴によれば、凹溝内にパネルの側片が嵌合されると、側片が弾性片に当接され、互いに隣接する側片の対向面同士が密接されるので、敷設されたパネル同士が一体化して横ズレが生じにくくなる。また、凹溝内側面から弾性片を横方向に大きく突出させて側片の対向面同士の密接圧を高めても、側片と弾性片との接触面積は小さく、かつ弾性片が弾性力を有しているので、ベースに対するパネルの着脱は比較的簡単に行える。
【０００９】
本発明の二重床は、前記弾性片が、前記凹溝内側面に上下方向に延びるように突設されていることが好ましい。
このようにすれば、側片の凹溝内への上方からの嵌合、及び上方への逸脱時における弾性片による抵抗力が小さくなるため、ベースに対するパネルの着脱が容易になるばかりか、弾性片と支持体との一体成形が可能になる。
【００１０】
【発明の実施の形態】
以下、本発明の実施例を図面に基づいて説明すると、まず図１には本発明の実施例としての二重床の要部が示されており、この二重床は、コンクリート製の建築床Ｆ上に敷設され、建築床Ｆ上に電話線やコンピュータ等のケーブル類等の物品の収納空間Ｓを形成するベース１と、このベース１により建築床Ｆの上方に支持されて床面を形成するパネル２とから構成されている。３はパネル２上に敷設されるカーペット、４は収納空間Ｓ内に配設されたケーブルをそれぞれ示している。
【００１１】
ベース１は合成樹脂製であり、図１〜３に示されるように、所定高さを有し、適宜間隔おきに立設される複数の支持体５Ａ〜５Ｅと、これら支持体５Ａ〜５Ｅの基部６同士を連結する連結リブ７とから、平面視略正方形状に形成されている。
【００１２】
支持体５Ａはベース１の中心に立設された１／４分割円柱型支持体５ａ〜５ｄとから構成されており、互いの１／４分割円柱型支持体５ａ〜５ｄ間には、支持体の上端から基部６の上面まで延びる溝部８が十字状に形成されている。さらにこれら１／４分割円柱型支持体５ａ〜５ｄの中心側が切り欠かれ、その中心には横断面円形の凹部９が形成されているとともに、基部６の中心位置には円形の穴部１０が形成され、ベース１の上方より建築床Ｆの上面が穴部１０内に露呈されるようになっている。また、１／４分割円柱型支持体５ａ、５ｂ間、及び１／４分割円柱型支持体５ｃ、５ｄ間には後述するリブ１１が形成されている。
【００１３】
支持体５Ａの周囲には、円柱型の支持体５Ｂ及び支持体５Ｃとが立設されており、特に支持体５Ｃの上部には、支持体５Ａに十字状に設けられた溝部８の長手方向の延長線に沿うように凹溝１２が設けられている。ベース１の四隅には略１／４分割円柱型の支持体５Ｄが、さらにベース１の側辺部における支持体５Ｄ、５Ｄ間には略１／２分割円柱型の支持体５Ｅ、及び１／４分割円柱型支持体５ｆ、５ｇとから構成される支持体５Ｆとがそれぞれ立設されている。また、これら１／４分割円柱型支持体５ｆ、５ｇ間には、溝部８の長手方向の延長線に沿うように溝部１３が形成されているとともに、リブ１１と同形状のリブ１４が形成されている。なお、図２中ベース１の下辺、右側辺の支持体５Ｅ、５Ｆは上辺、左側辺の支持体５Ｅ、５Ｆと同一のため、符号の記載は省略する。
【００１４】
これら支持体５Ａ〜５Ｆは上方から荷重が加わってもほとんど変形しない剛性を有しているとともに、基部６及び連結リブ７は、各支持体５Ａ〜５Ｅが建築床Ｆの不陸に対応して床面に接地される程度の可撓性を有している。
【００１５】
このベース１は一辺が約５０ｃｍ程度の大きさに形成されており、これら複数のベース１を建築床Ｆ上に敷設する場合、それぞれの側辺部にそれぞれ形成された係合凹部１５及び係合凸部１６を、隣接する他のベース１の係合凹部１５及び係合凸部１６に係合することで互いに連設出来るようになっている。
【００１６】
図２において斜線で示される箇所は、ベース１を建築床面Ｆに固設するための接着部１７である。この接着部１７は、特に図３に示されるように上方にわずかに起伏形成（高さ約２〜３ｍｍ程度）されており、基部６もしくは連結リブ７の裏面に適宜接着剤を収容可能な凹部１８が形成されている。よってベース１を固設する際にこのような凹部１８内に接着剤を塗布しておくことで、ベース１と建築床Ｆとの間に接着層が形成されてもベース１の高さが変化することがないばかりか、接着剤が基部６及び連結リブ７の側方にはみ出して、支持体５Ａ〜５Ｆ間に配設されるケーブル４等へ付着すること等を防止出来る。
【００１７】
このように構成されたベース１を建築床Ｆ上に敷設することで、スチール製のパネル２を図３中２点鎖線で示されるように建築床Ｆの上方に支持することが出来、これらパネル２と建築床Ｆとの間にケーブル４等の収納空間Ｓが形成される。これら支持体５Ａ〜５Ｆの高さはそれぞれ約５０ｍｍ程度であるため、高さ約５０ｍｍ弱の高さの収納空間Ｓが構成されることになるが、予め種々の高さに設定された支持体５を有するベース１を用意しておくことで、現場に応じた大きさの収納空間Ｓを形成することが出来る。
【００１８】
本実施例におけるパネルは２は、図３に示すようにそれぞれの側辺部より下方に屈曲形成された垂板２ａが溝部８、１３及び凹溝１２内に嵌合されるとともに、ベース１同士が連設されたときに互いに対向する支持体５Ｄ、５Ｅ、５Ｆの外側間に形成される溝部（図示略）に嵌合され、１つのベース１上に４枚のパネル２が敷設することが出来る。そしてパネル２の下面２ｂ所定箇所がそれぞれの支持体５Ａ〜５Ｆの上面に当接して支持されるようになっている。
【００１９】
なお、このパネル２の一対角線上には複数のスリット孔１９（図１参照）が形成されており、このスリット孔１９を中心にパネル２が屈曲されるように形成されているため、いずれかの支持体５Ａ〜５Ｆが不陸な建築床Ｆに対応して他の支持体５Ａ〜５Ｆの上端よりも高く、もしくは低くなった場合においても、屈曲することでパネル２のがたつきを吸収出来るようになっている。さらに、図１に示されるように垂板２ａの所定箇所には切欠部２０が形成されており、パネル２同士が連設された場合に互いに対向する切欠部２０によりケーブル４等の挿通用の穴部が形成されるので、ケーブル４等をパネル２、２間から容易に引き出すことが出来る。
【００２０】
支持体５Ａ〜５Ｆは、図３に示されるようにそれぞれ内部が中空状に形成されているとともに、上部内径Ｌ１が下部内径Ｌ２よりも小さくなるように、すなわち上方に行くに従い外形寸法が小さくなるテーパ状に形成されているため、ベース１を同方向に上下に積み重ねる場合、下方のベース１の支持体５Ａ〜５Ｆの上部が上方のベース１の支持体５Ａ〜５Ｆの下部開口内に嵌合されるようになっている。よって複数のベース１を上下方向にコンパクトに積み重ねることが出来、また積み重ねの際に嵩張ることがないので、効率よく運搬及び保管出来る。
【００２１】
また、下方の支持体５Ａ〜５Ｆのリブ１１、１４の上端に、上方のリブ１１、１４の下端に位置する基部６の下面が当接され、下方の支持体５Ａ〜５Ｆの上部の上方の支持体５Ａ〜５Ｆの下部開口内への進入深さが規制されるので、上方と下方の支持体５Ａ〜５Ｆ同士がきつく嵌合されて隔離しにくくなるといったことがない。なお、このようにリブ１１、１４が溝部８、１３、もしくは凹溝１２内に形成されていることにより、リブ１１、１４が配線の邪魔になることがない。
【００２２】
支持体５Ｃに形成された凹溝１２の内側面上下方向には、図３、４に示されるように、所定弾性力を有する弾性片３０が、内向きに突設されている。図４に示されるように、支持体５Ａ〜５Ｆ上にパネル２が載置され、凹溝１２内に互いに隣接するパネル２の垂板２ａ、２ａが嵌合されると、内向きに突設された弾性片３０の先端に垂板２ａの内側面が当接されるので、互いの垂板の外側面同士が密接される。
【００２３】
これにより隣接するパネル２間に隙間が生じることがなくなり、敷設された複数のパネル２が全体的に一体化されるので、パネル２のベース１に対する横ズレが防止される。また、例えば一部のパネル２に対して横方向の力が局所的に加わっても、その力は全体に分散されるようになるので、そのパネル２、及びそのパネル２を支持する支持体のみに負荷がかかり、一部の支持体のみが傷みやすくなることがない。
【００２４】
このように弾性片３０は凹溝１２の内側面から内向き横方向に突設されているので、パネル２の垂板２ａ同士が強固に密接されるとともに、垂板２ａとの接触面積は小さく、かつ弾性力を有しているので、垂板２ａの凹溝１２内への嵌合、逸脱操作が困難になることがなく、パネル２を開放しての収納空間Ｓ内のメンテナンス等を容易に行うことが出来る。
【００２５】
弾性片３０の凹溝１２内側面からの突出長さは任意に変更可能であるため、予め比較的長めに形成しておけば、垂板２ａ同士をより強固に密接出来る。また、上下方向に延びるように形成されているので、垂板２ａの凹溝１２内への嵌合、逸脱操作時における抵抗力が小さくなり、パネル２をベース１に対して比較的容易に着脱できるばかりか、弾性片３０を支持体５Ａ〜５Ｆとともに一体成形することが出来る。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
例えば、本実施例における弾性片３０は上下方向を向く帯状に形成されているが、特に形状は限定されるものではなく、凹溝１２の内側面に内向きに突出するように形成されていればよい。
【００２９】
【発明の効果】
本発明は以下の効果を奏する。
【００３０】
（ａ）請求項１項の発明によれば、凹溝内にパネルの側片が嵌合されると、側片が弾性片に当接され、互いに隣接する側片の対向面同士が密接されるので、敷設されたパネル同士が一体化して横ズレが生じにくくなる。また、凹溝内側面から弾性片を横方向に大きく突出させて側片の対向面同士の密接圧を高めても、側片と弾性片との接触面積は小さく、かつ弾性片が弾性力を有しているので、ベースに対するパネルの着脱は比較的簡単に行える。
【００３１】
（ｂ）請求項２項の発明によれば、側片の凹溝内への上方からの嵌合、及び上方への逸脱時における弾性片による抵抗力が小さくなるため、ベースに対するパネルの着脱が容易になるばかりか、弾性片と支持体との一体成形が可能になる。
【００３２】
【図面の簡単な説明】
【図１】本発明の適用された二重床の構造を示す一部破断斜視図である。
【図２】ベースの平面図である。
【図３】図２のＩ−Ｉ断面図である。
【図４】図３のＩＩ−ＩＩ断面図である。
【符号の説明】
１            ベース
２            パネル
２ａ          垂板（側片）
２ｂ          下面
３            カーペット
４            ケーブル
５Ａ〜５Ｆ    支持体
５ａ〜５ｄ    １／４分割円柱型支持体
５ｅ、５ｆ    １／２分割円柱型支持体
６            基部
７            連結リブ
８、１３      溝部（凹溝）
９            凹部
１０            穴部
１１、１４、２１リブ
１２            凹溝
１５            係合凹部
１６            係合凸部
１７            接着部
１８            凹部
１９            スリット孔
２０            切欠部
３０            弾性片
Ｆ              建築床
Ｓ              収納空間
【図１】
0003626605.tif 000002
【図２】
0003626605.tif 000003
【図３】
0003626605.tif 000004
【図４】
0003626605.tif 000005